(57)【要約】  複数の通信セルを含む無線通信システムにおいてブロードキャスト送信及びユニキャスト送信をサポートするための方法及び装置が説明される。第１の方法は、物理リソースの少なくとも１つのサブフレームにおいて少なくとも１つのブロードキャスト送信をサポートすることと、当該少なくとも１つのブロードキャスト送信は、第１のセル識別子を用いるブロードキャストデータを含むことと、当該物理リソースの当該少なくとも１つのサブフレームにおいて第２のセル識別子を用いるユニキャスト制御情報の送信をサポートすることと、第１のセル識別子は第２のセル識別子とは異なることとを含む。第２の方法は、物理リソースの無線フレームの少なくとも１つのサブフレームにおいて少なくとも１つの時間的に不連続なブロードキャスト送信をサポートすることと、当該物理リソースの当該無線フレームの複数の時間的に連続するサブフレームにおいてユニキャスト制御情報の送信をサポートすることとを含み、少なくとも１つの時間的に不連続なブロードキャスト送信について用いられる少なくとも１つのサブフレームは、ユニキャスト制御情報を送信するための無線フレームの複数のサブフレームにおいて用いられる第２の期間よりも短い第１の期間を含む。【選択図】図５
2013537752.tif 000002
【特許請求の範囲】
【請求項１】
複数の通信セルを含む無線通信システムにおいてブロードキャスト及びユニキャスト送信をサポートするための方法であって、
物理リソースの少なくとも１つのサブフレームにおいて少なくとも１つのブロードキャスト送信をサポートすることと、前記少なくとも１つのブロードキャスト送信は、第１のセル識別子を用いるブロードキャストデータを含むことと、
前記物理リソースの前記少なくとも１つのサブフレームにおいて第２のセル識別子を用いるユニキャスト制御情報の送信をサポートすることと、前記第１のセル識別子は前記第２のセル識別子とは異なることと、
を含む、方法。
【請求項２】
前記物理リソースの前記少なくとも１つのサブフレームにおいて前記少なくとも１つのブロードキャスト送信をサポートすることは、無線フレームの少なくとも１つのサブフレームにおいて時間的に不連続なブロードキャスト送信をサポートすることを含み、
ユニキャスト制御情報の送信をサポートすることは、前記無線フレームにおいてユニキャスト制御情報についての複数の時間的に連続するサブフレームをサポートすることを含む、請求項１に記載の方法。
【請求項３】
前記無線フレームにおいて、前記少なくとも１つのブロードキャスト送信について用いられる前記少なくとも１つのサブフレームは、ユニキャスト制御情報を送信するための複数のサブフレームにおいて用いられる第２の期間よりも短い第１の期間を含む、請求項２に記載の方法。
【請求項４】
前記複数の時間的に連続するサブフレームの少なくとも１つの第２のサブフレームにおいてユニキャストデータをサポートすること、
をさらに含む、請求項２又は３に記載の方法。
【請求項５】
前記少なくとも１つのユニキャストデータ送信は、前記第２のセル識別子を用いてエンコードされる、請求項４に記載の方法。
【請求項６】
前記第１のセル識別子は、共通のセル識別子であり、前記第２のセル識別子は、セル固有の識別子である、先行する請求項のいずれか１項に記載の方法。
【請求項７】
複数の通信セルを含む無線通信システムにおいてブロードキャスト及びユニキャスト送信をサポートするための方法であって、
物理リソースの無線フレームの少なくとも１つのサブフレームにおいて少なくとも１つの時間的に不連続なブロードキャスト送信をサポートすることと、
前記物理リソースの前記無線フレームの複数の時間的に連続するサブフレームにおいてユニキャスト制御情報の送信をサポートすることと、
を含み、
前記少なくとも１つの時間的に不連続なブロードキャスト送信について用いられる前記少なくとも１つのサブフレームは、ユニキャスト制御情報を送信するための前記無線フレームの前記複数のサブフレームにおいて用いられる第２の期間よりも短い第１の期間を含む、
方法。
【請求項８】
ユニキャスト制御情報の送信をサポートすることは、ユニキャスト制御情報を送信するための少なくとも１つのユニキャスト制御チャネルの使用をサポートすることを含む、先行する請求項のいずれか１項に記載の方法。
【請求項９】
物理リソースの少なくとも１つのサブフレームにおいて少なくとも１つのブロードキャスト送信をサポートすることは、動的な手法と、静的な手法と、から成るグループからの少なくとも１つによって、物理リソースの前記少なくとも１つのサブフレームを選択することを含む、先行する請求項のいずれか１項に記載の方法。
【請求項１０】
前記少なくとも１つのブロードキャスト送信及び前記少なくとも１つの制御チャネル情報の双方をサポートするために用いられる前記物理リソースは、同じダウンリンクキャリア周波数を含む、先行する請求項のいずれか１項に記載の方法。
【請求項１１】
前記物理リソースの少なくとも１つのサブフレームにおいて前記少なくとも１つのブロードキャスト送信をサポートするにあたり、干渉抑制を開始すること、
をさらに含む、先行する請求項のいずれか１項に記載の方法。
【請求項１２】
干渉抑制を開始することは、
（ｉ）干渉除去を適用して、受信される波形から前記少なくとも１つのユニキャスト制御情報を再構築することと、
（ｉｉ）前記ブロードキャストデータと時間的に一致する前記少なくとも１つのユニキャスト制御情報を送信する際に用いられるべき符号シーケンス選択を選択することと、
（ｉｉｉ）前記少なくとも１つのサブフレームにおけるブロードキャストデータ及びユニキャスト制御情報の送信にわたって電力制御を適用することと、
から成るグループからの少なくとも１つを含む、請求項１１に記載の方法。
【請求項１３】
前記無線通信システムは、ユニキャスト高速ダウンリンクパケットアクセス（ＨＳＤＰＡ）と、統合モバイルブロードキャストと、から成るグループからの少なくとも１つをサポートする、先行する請求項のいずれか１項に記載の方法。
【請求項１４】
ブロードキャスト送信をサポートすることは、物理リソースの前記少なくとも１つの時間的に連続するサブフレームに、第１のセル識別子を用いるブロードキャストデータを選択的に挿入して、ユニキャストデータと置換することを含む、先行する請求項のいずれか１項に記載の方法。
【請求項１５】
ブロードキャスト送信をサポートすることは、無線ネットワークコントローラ（ＲＮＣ）と、無線リソースマネージャ（ＲＲＭ）と、基地局と、無線加入者通信ユニットと、から成るグループからの少なくとも１つにおいて実行される、先行する請求項のいずれか１項に記載の方法。
【請求項１６】
無線通信システムにおいてブロードキャスト送信及びユニキャスト送信をサポートするための実行可能なプログラムコードを含む、有形の非一時的なコンピュータプログラムプロダクトであって、
当該実行可能なプログラムコードは、
無線ネットワークコントローラ（ＲＮＣ）と、無線リソースマネージャ（ＲＲＭ）と、基地局と、無線加入者通信ユニットと、から成るグループからの少なくとも１つにおいて実行される場合に、
物理リソースの少なくとも１つのサブフレームにおいて、第１のセル識別子を用いるブロードキャストデータを含む少なくとも１つのブロードキャスト送信をサポートし、
前記物理リソースの前記少なくとも１つのサブフレームにおいて第２のセル識別子を用いるユニキャスト制御情報の送信をサポートする
ために動作可能であり、
前記第１のセル識別子は、前記第２のセル識別子とは異なる、
有形の非一時的なコンピュータプログラムプロダクト。
【請求項１７】
無線通信システムにおいてブロードキャスト送信及びユニキャスト送信をサポートするための実行可能なプログラムコードを含む、有形の非一時的なコンピュータプログラムプロダクトであって、
当該実行可能なプログラムコードは、
無線ネットワークコントローラ（ＲＮＣ）と、無線リソースマネージャ（ＲＲＭ）と、基地局と、無線加入者通信ユニットと、から成るグループからの少なくとも１つにおいて実行される場合に、
物理リソースの無線フレームの少なくとも１つのサブフレームにおいて少なくとも１つの時間的に不連続なブロードキャスト送信をサポートし、
前記物理リソースの前記無線フレームの複数の時間的に連続するサブフレームにおいてユニキャスト制御情報の送信をサポートする
ために動作可能であり、
前記少なくとも１つの時間的に不連続なブロードキャスト送信について用いられる前記少なくとも１つのサブフレームは、ユニキャスト制御情報を送信するための前記無線フレームの前記複数のサブフレームにおいて用いられる第２の期間よりも短い第１の期間を含む、
有形の非一時的なコンピュータプログラムプロダクト。
【請求項１８】
複数の通信セルを含む無線通信システムにおいてブロードキャスト送信及びユニキャスト送信をサポートするための通信ユニットであって、当該通信ユニットは、
物理リソースの少なくとも１つのサブフレームにおいて、第１のセル識別子を用いるブロードキャストデータを含む少なくとも１つのブロードキャスト送信をサポートするためのロジックと、
前記物理リソースの前記少なくとも１つのサブフレームにおいて第２のセル識別子を用いるユニキャスト制御情報の送信をサポートするためのロジックと、
を備え、
前記第１のセル識別子は、前記第２のセル識別子とは異なる、
通信ユニット。
【請求項１９】
複数の通信セルを含む無線通信システムにおいてブロードキャスト送信及びユニキャスト送信をサポートするための通信ユニットであって、当該通信ユニットは、
物理リソースの無線フレームの少なくとも１つのサブフレームにおいて少なくとも１つの時間的に不連続なブロードキャスト送信をサポートするためのロジックと、
前記物理リソースの前記無線フレームの複数の時間的に連続するサブフレームにおいてユニキャスト制御情報の送信をサポートするためのロジックと、
を備え、
前記少なくとも１つの時間的に不連続なブロードキャスト送信について用いられる前記少なくとも１つのサブフレームは、ユニキャスト制御情報を送信するため前記無線フレームの前記複数のサブフレームにおいて用いられる第２の期間よりも短い第１の期間を含む、
通信ユニット。
【請求項２０】
前記通信ユニットは、無線ネットワークコントローラ（ＲＮＣ）と、無線リソースマネージャ（ＲＲＭ）と、基地局と、無線加入者通信ユニットと、から成るグループからの少なくとも１つである、請求項１８又は請求項１９に記載の通信ユニット。
【請求項２１】
複数の通信セルを含む無線通信システムにおいてブロードキャスト送信及びユニキャスト送信をサポートするための通信ユニットのための集積回路であって、当該集積回路は、
物理リソースの少なくとも１つのサブフレームにおいて、第１のセル識別子を用いるブロードキャストデータを含む少なくとも１つのブロードキャスト送信をサポートするためのロジックと、
前記物理リソースの前記少なくとも１つのサブフレームにおいて第２のセル識別子を用いるユニキャスト制御情報の送信をサポートするためのロジックと、
を備え、
前記第１のセル識別子は、前記第２のセル識別子とは異なる、
集積回路。
【請求項２２】
複数の通信セルを含む無線通信システムにおいてブロードキャスト送信及びユニキャスト送信をサポートするための通信ユニットのための集積回路であって、当該集積回路は、
物理リソースの無線フレームの少なくとも１つのサブフレームにおいて少なくとも１つの時間的に不連続なブロードキャスト送信をサポートするためのロジックと、
前記物理リソースの前記無線フレームの複数の時間的に連続するサブフレームにおいてユニキャスト制御情報の送信をサポートするためのロジックと、
を備え、
前記少なくとも１つの時間的に不連続なブロードキャスト送信について用いられる前記少なくとも１つのサブフレームは、ユニキャスト制御情報を送信するための前記無線フレームの前記複数のサブフレームにおいて用いられる第２の期間よりも短い第１の期間を含む、
集積回路。
【請求項２３】
請求項１又は請求項７に従って、少なくとも１つのブロードキャスト送信をサポートし、及び、ユニキャスト制御情報の送信をサポートするために、物理リソースの少なくとも１つのサブフレームを割り当てるように無線ネットワークを構成するためのロジックを備える、オペレーション及びマネジメントセンタ。
【発明の詳細な説明】
【技術分野】
【０００１】
本発明の分野は、セルラ通信システムにおける通信リソースの利用に関し、特に、時分割複信（ＴＤＤ：time-division  duplex）又は周波数分割複信（ＦＤＤ：frequency  division  duplex）第３世代パートナーシッププロジェクト（３ＧＰＰＴＭ）セルラ通信システムにおいてブロードキャスト通信をサポートすることに関するが、これに限られない。
【背景技術】
【０００２】
現在、携帯電話ユーザに提供される通信サービスをさらに強化するために、第３世代セルラ通信システムがインストールされつつある。最も広く採用される第３世代通信システムは、符号分割多重アクセス（ＣＤＭＡ：Code  Division  Multiple  Access）技術及び周波数分割複信（ＦＤＤ）技術又は時分割複信（ＴＤＤ）技術に基づく。ＣＤＭＡシステムにおいて、ユーザの分離は、同じキャリア周波数上及び同じ時間間隔における異なるユーザに異なる拡散符号及び／又はスクランブリング符号を割り当てることによって得られる。これは、異なるユーザには異なる時間スロットを割り当てることによってユーザの分離が達成される時分割多重アクセス（ＴＤＭＡ：time  division  multiple  access）システムと対照的である。
【０００３】
ＴＤＤシステムにおいては、アップリンク送信、即ち（無線加入者通信ユニットとしばしば呼ばれる）携帯無線通信ユニットから無線サービング基地局を介した通信基盤への送信と、ダウンリンク送信、即ち通信基盤からサービング基地局を介した携帯無線通信ユニットへの送信との双方について、同じキャリア周波数が用いられる。ＴＤＤにおいて、キャリア周波数は、時間ドメインにおいて一連のタイムスロットにサブ分離される。単一のキャリア周波数が、あるタイムスロットの期間中のアップリンク送信及び他のタイムスロット期間中のダウンリンク送信に割り当てられる。ＦＤＤシステムにおいては、分離されたキャリア周波数のペアが、それぞれアップリンク送信及びダウンリンク送信について用いられる。これらの原理を用いる通信システムの一例は、ＵＭＴＳＴＭ（Universal  Mobile  Telecommunication  System）である。ＣＤＭＡの更なる説明、及び特にＵＭＴＳＴＭの広帯域ＣＤＭＡ（ＷＣＤＭＡ：Wideband  CDMA）の説明は、非特許文献１において見出されることができる。
【０００４】
従来のセルラシステムにおいては、互いにごく近接するセルに、重複しない送信リソースが割り当てられる。例えば、ＣＤＭＡネットワークにおいては、互いにごく近接する範囲内のセルに、（アップリンク方向及びダウンリンク方向の双方において用いられるべき）個別の拡散符号が割当てられる。これは、例えば、各セルにおいて同じ拡散符号を採用し、ただしセル特有の異なるスクランブリング符号を採用することによって達成され得る。これらの組み合わせは、各セルにおける実質的に別個の拡散符号をもたらす。
【０００５】
図１は、既知のＷＣＤＭＡ（ＦＤＤ）ＨＳＤＰＡ無線フレーミング／タイミング構造１００を図示する。ＨＳＤＰＡ無線フレーミング／タイミング構造１００は、５つの２ミリ秒のサブフレーム期間を含む１０ミリ秒の無線フレーム１０５を有する。５つの２ミリ秒のサブフレーム期間の各々が用いられて、ユニキャストデータ１１０及びユニキャスト制御チャネル１１５上のユニキャスト制御情報が搬送される。そのため、単一の（ユニキャスト）スクランブリング符号がユニキャストデータの送信及び同じ物理リソース上の制御について用いられる。
【０００６】
強化された通信サービスを提供するために、第３世代セルラ通信システムは、様々な異なる及び強化されたサービスをサポートするように設計される。そのような強化されたサービスの１つは、マルチメディアサービスである。携帯電話及び他のハンドヘルドのデバイスによって受信されることができるマルチメディアサービスへの需要は、今後数年にわたって急速な成長へと向かう。マルチメディアサービスは、通信されるべきデータコンテンツの性質に起因して、高い帯域幅を要求する。
【０００７】
典型的に、無線加入者ユニットは、１つの無線サービング通信ユニット、即ち１つのセルに「接続される（connected）」。ネットワークにおける他のセルは、典型的には、対象の無線加入者ユニットへの与干渉信号を生成する。これらの与干渉信号の存在に起因して、無線加入者ユニットについて維持されることができる達成可能な最大のデータレートの低下は典型的である。
【０００８】
マルチメディアサービスの提供において典型的な及び最もコスト効率の高いアプローチは、マルチメディア信号をユニキャスト（即ち、ポイントツーポイント）で送信することとは対照的に、マルチメディア信号を「ブロードキャストする」ことである。典型的には、例えばニュース、映画、スポーツ等を搬送する数十のチャネルが、通信ネットワーク上で同時にブロードキャストされ得る。
【０００９】
電波スペクトルは貴重であるので、ユーザにできるだけ多くのブロードキャストサービスを提供することによって携帯電話ユーザ（加入者）に最も広いサービスの選択肢を提供するために、スペクトル効率の高い技法が要求される。ブロードキャストサービスは、従来の地上波テレビ／ラジオ送信と同様の手法で、セルラネットワーク上で搬送され得ることが知られている。
【００１０】
ＵＭＴＳＴＭのためのＭＢＭＳ（Mobile  Broadcast  and  Multicast  Service）など、マルチメディアブロードキャストサービスをセルラシステム上で供給するための技法は、過去数年にわたって開発されてきた。これらのブロードキャストセルラシステムにおいて、同じブロードキャスト信号は、従来のセルラシステム内の隣接するセル上の重複しない物理リソース上で送信される。その結果として、無線加入者ユニットにおいて、受信機は、当該無線加入者ユニットが接続されるセルからのブロードキャスト信号を検出可能でなければならない。とりわけ、この検出は、隣接セルの重複しない物理リソース上で送信される、付加的な、潜在的な与干渉ブロードキャスト信号の存在下で為される必要がある。
【００１１】
スペクトル効率を改善させるために、複数のセルによって、ただし同じ（即ち、重複する）物理リソースを用いて送信される同じブロードキャスト信号が送信されるセルラシステムについても、ブロードキャストソリューションは開発されてきた。これらのシステムにおいては、送信信号は実質的に時間的に一致する（time-coincident）ように構成され、それ故にキャパシティがブロードキャストサービスについて改善されるので、セルは互いに干渉を生じさせない。そのようなシステムは、「単一周波数ネットワーク（Single  Frequency  Networks）」、即ちＳＦＮと呼ばれることがある。ＳＦＮシステムにおいては、同時に同じコンテンツをブロードキャストすることになっている（共通の）セルを示すために、共通のセル識別子（ＩＤ）が用いられる。本説明の文脈において、「共通のセル識別子」という用語は、ＳＦＮオペレーションを特定するための任意のメカニズムを包含し、幾つかの例においては、例えば単一のスクランブリング符号の使用を包含する。
【００１２】
ＷＣＤＭＡ  ＭＢＭＳ技術に基づくブロードキャストソリューションは、長い拡散符号を用いる傾向があり、サービス若しくはデータブロックごとに長い送信時間（transmission  times）又は連続的な送信にさえ関連付けられる。これはユーザ装置の視点からは次善のアプローチである。なぜなら、受信機は、長い割合の時間について「オン」の状態であるか、又は常に「オン」の状態でさえある必要があるためである。これはモバイルＴＶ及び他のブロードキャストに関連するサービスについての鑑賞時間の観点から有害な影響を有し得る。サービスごとの長い又は連続的な送信時間は、同じキャリア上での複数のサービスの多重化が符号ドメインにおいて実行されなければならないことを要求する。
【００１３】
ブロードキャスト通信の分野において、統合モバイルブロードキャスト（１ＭＢ）は、３ＧＰＰＴＭリリース８の標準化された部分であり、モバイルサービスのためのグローバルブロードキャストソリューションについての高まる市場ニーズに対処するのに理想的に適している。１ＭＢは、既存の３ＧＰＰＴＭリリース７のＷＣＤＭＡ標準及びＴＤ−ＣＤＭＡ標準の要素を調和させて、双方からの最良の技術を取り入れる統一されたソリューションを達成する。１ＭＢは、専用の周波数キャリアを利用して、モバイルブロードキャストをサポートし、ユニキャストトラフィックとは別個のキャリア上で動作するオーバーレイネットワークである。従って、１ＭＢは、２つの別個のキャリア上でブロードキャストトラフィック及びユニキャストトラフィック双方の同時の動作を可能にする。１ＭＢは、スタンドアロンの動作において、即ち関連付けられるユニキャストキャリア無しに、用いられることもできる。
【００１４】
図２は、既知の１ＭＢの無線フレーミング／タイミング構造２００を図示する。１ＭＢの無線フレーミング／タイミング構造２００も、５つの２ミリ秒のサブフレーム期間を含む１０ミリ秒の無線フレーム２０５を有する。５つの２ミリ秒のサブフレーム期間の各々は、ブロードキャストデータ２１０及びブロードキャスト制御チャネル２１５上のブロードキャスト制御情報を搬送するために用いられる。そのため、単一の（ブロードキャスト）スクランブリング符号（又は共通のセル識別子）は、ブロードキャストデータの送信及び同じ物理リソース上の制御について用いられる。
【００１５】
ブロードキャスト送信専用にすることができるペアリングされていないスペクトルを有するモバイル事業者について、１ＭＢは、無線フレームの全てがブロードキャスト送信のために設定されることができるため、優れたソリューションを提供する。ペアリングされたユニキャストスペクトルのみを有し、ペアリングされていないスペクトルを有しないモバイル事業者にとって、１ＭＢサービスの配置は不可能である。このような事業者にとっての１つのオプションは、１ＭＢの波形をユニキャスト送信と多重化することである。ただし、ユニキャストデータはセルごとの基準で一意である必要があるため、ユニキャストデータと組み合わされる場合の共通のセル識別子という観念（notion）は存在しない。
【００１６】
結果として、現行の技法は次善である。それ故に、セルラネットワーク上のユニキャストキャリア上でブロードキャスト送信をサポートする問題に対処するための改良されたメカニズムは、有利であろう。
【先行技術文献】
【非特許文献】
【００１７】
【非特許文献１】'WCDMA  for  UMTS',  Harri  Holma  (editor),  Antti  Toskala  (Editor),  Wiley  &  Sons,  2001,  ISBN  0471  486876
【発明の概要】
【発明が解決しようとする課題】
【００１８】
従って、本発明は、上述された不都合な点の１つ以上を単独で又は任意の組み合わせで緩和し、軽減し又は除去することを追求する。
【課題を解決するための手段】
【００１９】
本発明の観点によれば、添付の特許請求の範囲において詳述されるように、本明細書において説明される概念を実装するために適合されるセルラ通信システム、動作の方法、集積回路及び通信ユニットが提供される。
【００２０】
本発明のこれらの及び他の観点、特徴及び利点は、下記に説明される実施形態を参照することで明らかになり、解明されるであろう。
【図面の簡単な説明】
【００２１】
本発明の実施形態は、添付の図面を参照しつつ、ほんの一例として説明されるであろう。図面において：
【００２２】
【図１】既知のＷＣＤＭＡ（ＦＤＤ）ＨＳＤＰＡ無線フレーミング／タイミング構造を図示する。
【図２】既知の統合モバイルブロードキャスト（１ＭＢ）の無線フレーミング／タイミング構造を図示する。
【図３】本発明の幾つかの例示的な実施形態に従って適合される３ＧＰＰＴＭセルラ通信システムを図示する。
【図４】本発明の幾つかの例示的な実施形態に従って適合される、ユーザ機器（ＵＥ）又はノードＢといった無線通信ユニットを図示する。
【図５】本発明の幾つかの例示的な実施形態に従った無線フレーミング／タイミング構造を図示する。
【図６】ブロードキャスト通信をサポートするためのフローチャートの一例を図示する。
【図７】本発明の実施形態における信号処理機能を実装するために採用され得る典型的なコンピューティングシステムを図示する。
【発明を実施するための形態】
【００２３】
下記の説明は、ＵＭＴＳＴＭ（Universal  Mobile  Telecommunication  System）セルラ通信システム、特に、第３世代パートナーシッププロジェクト（３ＧＰＰＴＭ）システム内の任意のペアリングされていないスペクトルにおいて動作するＵＭＴＳＴＭ地上無線アクセスネットワーク（ＵＴＲＡＮ：UMTSＴＭ  Terrestrial  Radio  Access  Network）に適用可能な本発明の実施形態に焦点を合わせる。ただし、本発明は、この特定のセルラ通信システムに限定されず、ブロードキャストをサポートする任意のセルラ通信システムに適用され得ることが認識されるであろう。
【００２４】
ここで図３を参照すると、本発明の例示的な実施形態に従ったセルラベースの通信システム３００の概略が示されている。この例示的な実施形態において、セルラベースの通信システム３００は、ユニバーサルモバイル通信システム（ＵＭＴＳＴＭ）無線インタフェースに準拠し、当該ＵＭＴＳＴＭ無線インタフェース上で動作することが可能なネットワーク要素を含む。特に、例示的な実施形態は、（３ＧＰＰ  ＴＳ  ２５．ｘｘｘシリーズの仕様において説明される）ＵＴＲＡＮ無線インタフェースに関連する、広帯域符号分割多重アクセス（ＷＣＤＭＡ：wide-band  code-division  multiple  access）標準、時分割符号分割多重アクセス（ＴＤ−ＣＤＭＡ：time-division  code-division  multiple  access）標準、及び時分割同期符号分割多重アクセス（ＴＤ−ＳＣＤＭＡ）標準についての第３世代パートナーシッププロジェクト（３ＧＰＰＴＭ）の仕様に関連する。特に、３ＧＰＰＴＭシステムの例示的な実施形態は、１つ以上の通信セルにおいて、ブロードキャストＵＴＲＡ通信及びユニキャストＵＴＲＡ通信の双方をサポートするように適合される。
【００２５】
ユニキャストモードの動作において、複数の無線加入者通信ユニット／端末（又は、ＵＭＴＳＴＭの用語におけるユーザ機器（ＵＥ：user  equipment））３１４、３１６は、ＵＭＴＳＴＭの用語においてノードＢ３２４、３２６と呼ばれる複数の基地局／基地送受信局と、無線リンク３１９、３２０上で、例えば双方向で通信する。セルラ通信システムは、多くの他のＵＥ及びノードＢを含むが、これらは明確にするために図示されない。ネットワーク事業者のネットワークドメインと呼ばれることもあるセルラ通信システムは、外部のネットワーク、例えばインターネットと接続される。ネットワーク事業者のネットワークドメインは、（ｉ）コアネットワーク、即ち、少なくとも１つのゲートウェイ汎用パケット無線システム（ＧＰＲＳ：General  Packet  Radio  System）サポートノード（ＧＧＳＮ）３３５及び少なくとも１つのサービングＧＰＲＳサポートノード（ＳＧＳＮ）３４４と、（ｉｉ）アクセスネットワークと、を含む。アクセスネットワークは、複数のＵＭＴＳノードＢ３２４、３２６に動作可能に接続される複数のＵＭＴＳ無線ネットワークコントローラ（ＲＮＣ：Radio  network  controllers）３３６、３４０を含む。ＧＧＳＮ３３５又はＳＧＳＮ３４４は、公衆ネットワーク、例えば（インターネットなどの）公衆交換データネットワーク（ＰＳＤＮ：Public  Switched  Data  Network）３３４、又は公衆交換電話ネットワーク（ＰＳＴＮ：Public  Switched  Telephone  Network）とＵＭＴＳがインタフェースをとることの責任を負う。ＳＧＳＮ３４４は、トラフィックについてルーティング機能及びトンネリング機能を実行する一方、ＧＧＳＮ３３５は、外部のパケットネットワークにリンクする。ノードＢ３２４、３２６は、ＲＮＣ３３６、３４０及びＳＧＳＮ３４４などのモバイルスイッチングセンタ（ＭＳＣ）を介して、外部のネットワークに接続される。セルラ通信システムは、典型的には多数のそのような基盤要素を有するであろうが、明確にするために限定された個数のみが図３に示される。ノードＢ３２４、３２６の各々は、１つ以上の無線送受信機ユニットを有し、ＵＭＴＳ仕様において定義されるように、Ｉｕｂインタフェースを介してセルベースシステムの残りの基盤と通信する。
【００２６】
ＲＮＣ３３６、３４０の各々は、１つ以上のノードＢ３２４、３２６を制御し得る。図示される例において、ノードＢ３２４は、ブロードキャスト通信３２１及びユニキャスト通信３２０の双方を地理的なエリア３８５上でサポートし、ノードＢ３２６は、地理的なエリア３９０上で通信をサポートする。図示されるように、ノードＢ３２４は、タイマ３９２及び信号プロセッサモジュール３９６に動作可能に接続される送信機３９４を備える。本発明の実施形態は、信号プロセッサモジュール３９６及びタイマ３９２を利用してブロードキャストモードの動作及びユニキャストモードの動作におけるノードＢ３２６からのデータパケット送信を設定する。１ＭＢをサポートするにあたり、信号プロセッサモジュール３９６は、現行のように専用の別個のキャリア周波数上ではなく、ユニキャスト通信をサポートする同じキャリア周波数を用いて、ブロードキャストトラフィックをサポートするように構成される。１ＭＢの信号は、同じコアネットワークに接続され得る、同じサイト上のＷＣＤＭＡユニキャストと同じ又は同様の機器から送信される。ブロードキャストトラフィックは、一例において共通のセル識別子（ＩＤ）及び単一の拡散符号の使用など、ＳＦＮ合成に関連付けられる特性を用いる一方で、ユニキャスト制御は、別のユニキャストのセル固有のＩＤを用いる。
【００２７】
各ＳＧＳＮ３４４は、外部のネットワーク３３４にゲートウェイを提供する。動作及び管理センタ（ＯＭＣ：Operations  and  Management  Centre）３４６は、ＲＮＣ３３６、３４０及びノードＢ３２４、３２６に動作可能に接続される。ＯＭＣ３４６は、当業者によって理解されるように、セルラ通信システム３００の一部を運営し及び管理するために、処理機能（図示せず）及びロジック機能３５２を備える。
【００２８】
ブロードキャストモードの動作において、図３は、３ＧＰＰネットワーク上で（例えば、一方向性の）ブロードキャストサービス、例えばＭＢＭＳを提供するためのアーキテクチャの簡略化された例も図示する。ＭＢＭＳは、汎用パケット無線システム（ＧＰＲＳ）ネットワーク、ユニバーサルモバイル通信システム（ＵＭＴＳＴＭ）ネットワーク、進化型パケットシステム（ＥＰＳ：Evolved  Packet  System）などといったモバイル通信ネットワーク上で提供されるブロードキャスティング及びマルチキャスティングサービスである。ＭＢＭＳについての技術仕様は、３ＧＰＰＴＭ  ＴＳ  ２２．１４６、３ＧＰＰ  ＴＳ  ２３．２４６及び３ＧＰＰ  ＴＳ  ２６．３４６を含む。複数の無線加入者通信ユニット／端末（又は、ＵＭＴＳＴＭの用語におけるユーザ機器（ＵＥ））３１４は、明確にするためにノードＢ３２６としてのみ図示される、複数の基地送受信局のうちの少なくとも１つから、無線リンク３２１上でブロードキャスト送信を受信する。ブロードキャストモードの動作において、ＲＮＣ３４０は、個別のノードＢ３２６の物理リソースをマルチメディアサービスについて設定し、送信の準備ができたノードＢ３２６にデータを供給する。
【００２９】
単一のＳＧＳＮ３４４は、単一のＲＮＣ３４０に動作可能に接続されることができ、又は、単一のＳＧＳＮ３４４は、図示のように複数のＲＮＣ３３６、３４０に動作可能に接続されることができる。ＳＧＳＮ３４４は、（ノードＢ３２４、３２６それぞれによってサポートされる）個別のセル内の通信について責任を負うＲＮＣ３３６、３４０内で必要なリソースを割り当てる。ブロードキャストモードの動作において、ＳＧＳＮ３４４は、サービスのためのマルチメディアデータストリームをＲＮＣ３３６へ、及びノードＢ３２４へ転送する。
【００３０】
１つの例示的な実施形態において、ＲＮＣ３３６は、無線リソース管理（ＲＲＭ：radio  resource  management）ロジック３４１を備える。ＲＲＭロジック３４１は、図５に図示されるようにブロードキャストデータがユニキャスト制御情報と共に送信されるように、ユニキャストデータについて割り当てられる無線サブフレームの中にブロードキャストトラフィックを挿入するように構成される。別の例において、ＲＲＭロジック３４１は、図５に図示されるようにブロードキャストデータがユニキャスト制御情報と共に送信されるように、ユニキャストデータについて割り当てられる無線サブフレームの中にブロードキャストトラフィックを挿入することをノードＢ３２４に指示し得る。
【００３１】
１ＭＢのブロードキャストコンテンツをサポートするにあたり、ノードＢ３２４の信号プロセッサモジュール３９６、又はＲＮＣ３３６のＲＲＭロジック３４１は、一例において、現行のように専用の別個のキャリア周波数上ではなく、ユニキャスト通信をサポートする同じＦＤＤダウンリンクキャリア周波数を用いて、ブロードキャストトラフィックをサポートするように構成されてもよい。
【００３２】
ＧＧＳＮ３３５は、１つ以上のＳＧＳＮ３４４に動作可能に接続され得る。ブロードキャストモードの動作において、ＧＧＳＮ３３５は、ブロードキャストマルチキャストサービスセンタ（ＢＭ−ＳＣ）３４７に動作可能に接続され、当該ＢＭ−ＳＣ３４７は、任意のネットワーク、例えばブロードキャストメディアの少なくとも１つのソース３４５を含む共有されるＭＢＭＳネットワークに動作可能に接続され得る。ブロードキャストモードの動作において、ＧＧＳＮ３３５は、ＵＥ３１４などの加入者移動局へルーティングされるべきデータについて必要なパスを識別することに加えて、ＳＧＳＮ３４４を介したデータのブロードキャスト配信を容易にするために必要なリソースを予約する。ＧＧＳＮ３３５は、ＢＭ−ＳＣ３４７から受信される、要求されたサービスについてのマルチメディアデータもＳＧＳＮ３４４に提供する。ＢＭ−ＳＣ３４７は、アナウンスされるサービスを処理し（handles）、ＧＧＳＮ３３５を介してブロードキャストネットワーク、例えばＭＢＭＳネットワークにおけるリソースを割り当てる。提供されるサービスについてのマルチメディアデータは、例えばインターネットプロトコル（ＩＰ）マルチキャスト技法を用いて、パケット化されたデータとしてＧＧＳＮ３３５に転送される。このようにして、（コンテンツプロバイダと呼ばれることもある）ブロードキャストメディアソース３４５によって、サービスがアナウンスされ、サービスについてのデータが提供される。
【００３３】
ブロードキャストモードロジック３５０は、ＲＮＣ及びノードＢにシグナリングされる物理リソースを管理するように構成される。このようにして、ブロードキャストモードロジック３５０は、ブロードキャストのためのリソースを割り当て、送信電力を設定し、ブロードキャスト送信を搬送すべきリソースについて共通のセルＩＤなどのセルＩＤを割当てる。従って、別の例示的な実施形態において、ブロードキャストモードロジック３５０は、通常のユニキャスト送信をスケジューリングすることに加えて、図５に図示されるようにブロードキャストデータがユニキャスト制御情報と共に送信されるように、ユニキャストデータについて割り当てられる無線サブフレームの中にブロードキャストトラフィックをスケジューリングしてもよい。
【００３４】
従って、一例において、ＲＮＣ３３６又はノードＢ３２４といった通信ユニットは、複数の通信セルを含む無線通信システムにおいてブロードキャスト送信をサポートし得る。一例において、物理リソースの少なくとも１つのサブフレームにおいて少なくとも１つのブロードキャスト送信をサポートするために、ＲＮＣは、ロジック、例えばＲＲＭ３４１を備えても良く、及び／又は、ノードＢ３２４は、物理ロジック、例えば信号処理モジュール３９６を備えてもよい。少なくとも１つのブロードキャスト送信は、第１のセル識別子を用いるブロードキャストデータを含み、ユニキャスト制御情報の送信をサポートするためのロジックは、当該物理リソースの当該少なくとも１つのサブフレームにおいて第２のセル識別子を用い、当該第１のセル識別子は、当該第２のセル識別子とは異なる。一例において、第１のセルＩＤは、共通のセルＩＤであってもよい。同じ例又は別の例において、第２のセルＩＤは、セル固有のＩＤであってもよい。
【００３５】
一例において、物理リソースの無線フレームの少なくとも１つのサブフレームにおいて少なくとも１つの時間的に不連続なブロードキャスト送信をサポートするために、及び、当該物理リソースの当該無線フレームの複数の時間的に連続するサブフレームにおいてユニキャスト制御情報の送信をサポートするために、ＲＮＣは、ロジック、例えばＲＲＭ３４１を備え、及び／又は、ノードＢ３２４は、ロジック、例えば信号処理モジュール３９６を備え得る。少なくとも１つの時間的に不連続なブロードキャスト送信に用いられる少なくとも１つのサブフレームは、ユニキャスト制御情報を送信するための無線フレームの複数のサブフレームにおいて用いられる第２の期間よりも短い第１の期間を含む。
【００３６】
一例において、ＲＮＣは、上述された手法でサブフレームを割り当てるようにノードＢ３２４に指示するための処理ロジックを備えてもよい。
【００３７】
一例において、ノードＢは、上述された手法でサブフレームを割当て、その後、データをブロードキャストし、ユニキャスト制御情報を１つ以上のＵＥに送信するための処理ロジックを備えてもよい。
【００３８】
１つの例示的な実施形態において、ブロードキャストデータの挿入は、静的な手法で実行され得る。例えば、ＯＭＣは、ユニキャストデータをブロードキャストデータと置換するために用いる１つ以上の同じ特定のサブフレームを常に割り当てるようにＲＮＣを設定してもよい。従って、ＯＭＣ３４６は、少なくとも１つのブロードキャスト送信をサポートし、及び上述された手法でユニキャスト制御情報の送信をサポートするために、物理リソースの少なくとも１つのサブフレームを割り当てるようにＲＮＣ３４０を設定するためのロジックを備え得る。
【００３９】
１つの例示的な実施形態において、ブロードキャストデータの挿入は、動的な手法で実行され得る。例えば、ＲＮＣ３４０又はノードＢ３２４は、例えばセル（又は複数のセル）におけるＵＥがブロードキャストデータを要求するか否かに依存して、ユニキャストデータをブロードキャストデータに置換するために用いる１つ以上の特定のサブフレームを動的に割り当てるように構成されてもよい。ＵＥ若しくはセルがブロードキャストデータを要求しない場合、又は、ＵＥ若しくはセルがブロードキャストデータをもはや要求しない場合、１つ以上のブロードキャストサブフレームは、ユニキャスト通信をサポートするために再度割り当てられ得る。
【００４０】
セルラブロードキャストシステムの設計を検討する際、ブロードキャスト送信モードとユニキャスト送信モードとの間で達成され得る調和の程度を検討することも有益である。ブロードキャスト送信モード及びユニキャスト送信モードは、異なる最適化基準を有するが、双方が無線通信について同様の基本的な（underlying）フレームワークを利用することが可能であれば、有益である。
【００４１】
本発明の発明者は、高速ダウンリンクパケットアクセス（ＨＳＤＰＡ：high  speed  downlink  packet  access）と呼ばれる、ＷＣＤＭＡにおけるユニキャスト技術が、ショートコード成分を有し、ユニキャストデータについて短い送信期間（time  periods）を利用する（２ミリ秒のサブフレームを用いる）ことを認識した。ＨＳＤＰＡに関するさらなる情報は、３ＧＰＰ技術標準ＴＳ２５．２１  １において見出されることができる。ショートコード成分及び短い送信期間を利用するこれらの送信は、制御、パイロットのために、及び他のユーザデータのためにも、ロングコード成分及び長い送信時間（又は連続的な送信）と合成されてもよい。
【００４２】
１つの例示的な実施形態に従って、ＨＳＤＰＡにおいてユニキャストデータについて用いられるショートコード成分及び短い送信時間が、ブロードキャスト目的についての同様のショートコード成分及び短い送信時間と置換されることが提案される。このアプローチの利益は幾重にもなる（several  fold）。例えば、同様の技術（ハードウェア、ファームウェア及び／又はソフトウェア）がユニキャスト及びブロードキャストの双方について用いられることができるため、ＵＥハンドセット及びノードＢにおいて技術の高度な再利用が可能である。
【００４３】
また、本発明の１つの例示的な実施形態において、長い送信時間間隔は、（ＨＳＤＰＡユニキャストデータに換えて）ブロードキャストデータ専用の複数の不連続のより短い２ミリ秒のサブフレームを用いて構築され得る。ブロードキャスト送信を受信するため、ブロードキャスト受信機は、ある割合の時間についてのみオンにされ、バッテリ電力を節約する。これは、不連続受信（ＤＲＸ：Discontinuous  Reception）モードにおいてより効率的な節電動作を提供し得る。ブロードキャストサービスを時間多重するこの能力は、送信機の異なるグループが特定の単一周波数ネットワーク（ＳＦＮ）のブロードキャストサービス送信に異なる時間に参加することを可能にし、それによって、単一周波数ネットワーク（ＳＦＮ）サービスごとに提供されるカバレッジエリアにおいて後続のバリエーションを可能にする。ＳＦＮサービスエリアは、一般に「ＳＦＮゾーン」と呼ばれる。ＳＦＮブロードキャスト送信は、参加している基地局が全てのブロードキャスト通信セルにわたって共通のセルＩＤを使用して、同じデータコンテンツ及び同じ信号波形を同時に送信するものである。ＣＤＭＡ  ＳＦＮシステムにおいて、これは各ノードＢがＳＦＮサービスのアクティブな期間（time  duration）について同じスクランブリングシーケンスを用いることを要求する。
【００４４】
ここで図４を参照すると、本発明の幾つかの例示的な実施形態に従って適合される無線通信ユニット３１４のブロック図が示される。実際には、単に本発明の実施形態を説明する目的で、無線通信ユニットはユーザ機器（ＵＥ）の観点から説明される。無線通信ユニット３１４は、当該無線通信ユニット３１４内の受信チェーンと送信チェーンとの間の分離を提供するアンテナスイッチ４０４に結合される、アンテナ、アンテナアレイ４０２、又は複数のアンテナを備える。本技術分野において既知のように、１つ以上の受信機チェーンは、（受信、フィルタリング、及び中間周波数変換又はベースバンド周波数変換を実質的に提供する）受信機フロントエンド回路４０６を含む。受信機フロントエンド回路４０６は、信号処理モジュール４０８に結合される。信号処理モジュール４０８からの出力は、スクリーン又はディスプレイといった適当な出力装置４１０に提供される。１つ以上の受信機チェーンは、ユニキャストネットワーク上で１つ以上のサブフレームにおいてデータパケットストリームを受信し、又はブロードキャストネットワーク上で１つ以上のサブフレームにおいてデータパケットストリームを受信するように動作可能に構成される。１つの例示的な実施形態において、別個の受信機チェーン（図示せず）がブロードキャスト受信及びユニキャスト受信について用いられる。当業者は、受信機回路又は受信機コンポーネントを用いる統合のレベルは実装に依存し得るが、例えばビデオデコーダまでは別個であってもよいことを認識するであろう。
【００４５】
コントローラ４１４は、無線通信ユニット３１４の全体的な動作制御を維持する。また、コントローラ４１４は、受信機フロントエンド回路４０６と、（一般に、デジタル信号プロセッサ（ＤＳＰ：digital  signal  processor）によって実現される）信号処理モジュール４０８とに結合される。コントローラ４１４は、バッファモジュール４１７と、デコーディング／エンコーディング機能、同期パターン、符号シーケンスなどといった動作レジームを選択的に記憶するメモリ装置４１６とにも結合される。タイマ４１８は、無線通信ユニット３１４内の動作（時間に依存する信号の送信又は受信）のタイミングを制御するために、コントローラ４１４に動作可能に結合される。
【００４６】
送信チェーンに関して、これは基本的にキーパッドなどの入力装置４２０を含み、送信機／変調回路４２２及び電力増幅器４２４を介して、アンテナ、アンテナアレイ４０２、又は複数のアンテナに直接に結合される。送信機／変調回路４２２及び電力増幅器４２４は、コントローラ４１４に操作上応答する。送信チェーンは、双方向性のユニキャストネットワーク上でデータパケットストリームを送信するように動作可能に構成される。
【００４７】
送信チェーンにおける信号プロセッサモジュール４０８は、受信チェーンにおける信号プロセッサとは異なるものとして実装されてもよい。あるいは、単一のプロセッサが、図４に示されるように、送信信号及び受信信号の双方の処理を実装するために用いられてもよい。明らかに、無線通信ユニット３１４内の種々のコンポーネントは、個別の又は統合されたコンポーネントの形態で実現されることができ、従って、最終的な構造はアプリケーション特有又は設計の選択となる。
【００４８】
一例において、ＵＥ３４１といった通信ユニットは、複数の通信セルを含む無線通信システムにおけるブロードキャスト送信をサポートし得る。一例において、ＵＥは、例えば物理リソースの少なくとも１つのサブフレームにおいて少なくとも１つのブロードキャスト送信を例えば受信することによってサポートするための信号処理モジュール４０８を備え得る。少なくとも１つのブロードキャスト送信は、第１のセル識別子を用いるブロードキャストデータを含み、ユニキャスト制御情報の送信をサポートするためのロジックは、物理リソースの少なくとも１つのサブフレームにおいて第２のセル識別子を用い、当該第１のセル識別子は、当該第２のセル識別子とは異なる。
【００４９】
一例において、ＵＥ３４１などの通信ユニットは、複数の通信セルを含む無線通信システムにおけるブロードキャスト送信をサポートし得る。一例において、ＵＥは、物理リソースの無線フレームの少なくとも１つのサブフレームにおいて少なくとも１つの時間的に不連続なブロードキャスト送信を例えば受信することによってサポートし、及び当該物理リソースの当該無線フレームの複数の時間的に連続するサブフレームにおいてユニキャスト制御情報の送信をサポートするための信号処理モジュール４０８を備え得る。少なくとも１つの時間的に不連続なブロードキャスト送信に用いられる少なくとも１つのサブフレームは、ユニキャスト制御情報を送信するために無線フレームの複数のサブフレームにおいて用いられる第２の期間よりも短い第１の期間を含む。
【００５０】
本発明の例示的な実施形態に従って、信号プロセッサモジュール４０８は、ブロードキャストコンテンツを搬送するユニキャストキャリアのうちの１つ上でストリーミングされた２ミリ秒のサブフレームデータにおいて、ブロードキャスト通信又は一方向のユニキャスト通信のいずれが受信されているのかを判定するための（ハードウェア、ファームウェア又はソフトウェアを包含する）ロジック４３０を備えるように適合されている。一例において、信号プロセッサモジュール４０８は、例えば、図５に図示されるようなフレーム構造におけるコンテンツの受信に続いて、ユニキャストトラフィック、ブロードキャストトラフィック、又はユニキャストトラフィック及びブロードキャストトラフィックの双方の組み合わせをデコードするように構成されるデコーダ４３２も備える。一例において、信号プロセッサモジュール４０８は、ブロードキャスト及びユニキャスト通信の双方を受信する場合に、結合エラー回復を容易にするためのロジック４３４も備える。
【００５１】
図２から、信号対雑音比（ＳＮＲ：signal-to-noise  ratio）は、
【００５２】
【数１】
2013537752.tif 000003
【００５３】
によって提供され得ることに注目する。
ここで、
Ｃは、合成後のコンポジット受信ＳＦＮ信号であり、
Ｎは、残余の干渉に熱雑音を加えたものである。
ただし、図５の無線フレーム構造について、ＳＲＮは、
【００５４】
【数２】
2013537752.tif 000004
【００５５】
によって与えられ、
ここで、
ＩＵＣは、図５のように、ブロードキャストデータ上のユニキャスト制御チャネルからの干渉であり、
ａは、干渉抑制項であり、０＜＝ａ＜＝１である。
ＩＵＣを抑制するための例は、下記のうちの１つ以上を含み得る；
（ｉ）ユニキャスト制御チャネルを再構築し、受信される波形から減算するための信号処理アルゴリズムを用いる、ＵＥにおける干渉除去。
（ｉｉ）ノードＢによって実行されるシーケンス選択。ブロードキャストデータと時間的に一致するユニキャスト制御チャネルの一部、即ちブロードキャストサブフレームは、疑似直交性を確保するために異なるシーケンス特性を有し、それ故に、ａを増加させる。
（ｉｉｉ）ブロードキャスト／ユニキャスト制御チャネルサブフレームにわたるノードＢにおける電力制御。ユニキャスト制御チャネルの電力は、制御チャネル情報のインテグリティを維持する量だけ減衰されるが、同時にａを増加させる。この例においては、ユニキャスト制御チャネルのチャネルコーディングを当てにして、減衰を克服するであろう。
【００５６】
ＨＳＤＰＡのショートコード、短い送信時間、及び不連続な送信の再利用は、ブロードキャスト送信におけるユニキャスト送受信機技術の再利用を可能にする。本発明の実施形態は、ペアリングされた周波数帯域におけるマルチキャスト／ブロードキャスト単一周波数ネットワーク（ＭＢＳＦＮ：multicast/broadcast  single  frequency  network）送信に適し得るシステムを提案する。
【００５７】
本発明の実施形態は、複雑さ及びブロードキャストシステムのコストを低減することを目指す上述された概念に適応しながら、同時にパフォーマンスを改善しつつ、ＷＣＤＭＡの原理の最大限の再利用を達成することを目指す。
【００５８】
本発明の実施形態において採用されるシステムは、下記のうちの少なくとも１つに基づく：
（ｉ）「タイプ３」のＦＤＤ  ＨＳＤＰＡ受信機原理として一般に知られる、デュアル受信アンテナ及びチップレベル等化を有する受信機構造の使用；
（ｉｉ）ＦＤＤ  ＨＳＤＰＡについて用いられるような２ミリ秒のサブフレーム構造の採用；
（ｉｉｉ）可能であれば、（ＦＤＤ  ＨＳＤＰＡと連携して）拡散率（ＳＦ：spreading  factor）ＳＦ１６のＳ−ＳＣＣＰＣＨについての使用。ＦＤＤ  ＭＢＭＳにおいては、これはＳＦ２５６、ＳＦ１２８、ＳＦ６４、ＳＦ３２、ＳＦ１６、ＳＦ８、ＳＦ４であり、送信は連続的であることに留意する。
（ｉｖ）ブロードキャストサブフレームの期間中のユニキャスト制御チャネルの使用；及び、
（ｖ）ＦＤＤチップレベルスクランブリングシーケンスの使用。
【００５９】
複数のセルが同じ波形を送信するＳＦＮ送信について、送信される信号の対応する複数のコピーは、ＵＥ受信機において存在するが、無線伝搬チャネルを介したそれらのパッセージ、及び介在する物理的な物体に起因する反射／屈折に起因して、各々異なる時間遅延及び振幅及び位相を有する。これらは、複数の遅延を含む単一の複雑な無線伝搬チャネル環境で受信される単一の送信ソースとしてＵＥ受信機によって観測される。これらの信号パスの最初の到来と最後の到来との間の時間的な範囲は、チャネルの遅延拡散と一般に呼ばれる。ＳＦＮブロードキャスト配置について、遅延拡散はそれ故にユニキャスト配置について観測されるよりも著しく大きくなり得る。
【００６０】
一例において、ＵＥ受信機の信号プロセッサモジュール４０８は、ユニキャスト制御チャネル及びブロードキャストデータを搬送するサブフレームの期間中に、ＳＦＮブロードキャスト送信からの遅延のより大きな拡散、及びユニキャスト制御チャネル送信から遅延のより小さな拡散を受信するケイパビリティを有する。一例において、ＵＥ３１４は共通のＲＦ受信機を同時に用いる同じサブフレームを共有するブロードキャストデータ及びユニキャスト制御チャネルを受信するであろうことが理解されるであろう。アナログドメインからデジタルドメインへの変換後、ブロードキャスト及びユニキャストの逆多重化は、信号プロセッサモジュール４０８によってもたらされ得る。一例において、信号プロセッサモジュール４０８は、ブロードキャストデータにユニキャスト制御データとは異なった処理をしても、しなくてもよい。例えば、遅延の拡散がブロードキャストについてより大きい場合、信号プロセッサモジュール４０８は、異なる信号処理アルゴリズムを用いて、ブロードキャスト送信を異なったやり方で処理し得る。
【００６１】
ここで図５を参照すると、本発明の実施形態に従って適合されるフレーミングフォーマット５００が図示される。本発明の実施形態は、ユニキャストデータをサポートするために用いられるＨＳＤＰＡのような２ミリ秒の同じサブフレーム構造がブロードキャストＦＤＤ  ＭＢＭＳデータをサポートするためにさらに用いられることを提案する。従って、ブロードキャストＦＤＤ  ＭＢＭＳデータは、ＦＤＤ帯域内で、ユニキャストデータを搬送する他のＷＣＤＭＡダウンリンク物理チャネルとＴＤＭ多重され得る。それによって、制御チャネルは、個別のセルＩＤなどのユニキャスト特性の使用を維持する。
【００６２】
この例において、図５は、ユニキャストデータ５０５の２ミリ秒のサブフレームを含むユニキャスト無線フレーミング／タイミング構造５００を図示する。１つ以上の２ミリ秒のサブフレームにおいて、ユニキャストデータはブロードキャストＦＤＤ  ＭＢＭＳデータ５１０に置換される。無線フレーミング／タイミング構造５００は、ユニキャスト制御チャネル５１５を含む１０ミリ秒の無線フレーム５２０も有する。そのため、各ブロードキャストサブフレームがブロードキャストスクランブリング符号、及び一例においては第１の（例えば、共通の）セルＩＤを用いた状態で、ユニキャストデータ及びブロードキャストデータの混合は同じ周波数キャリア上で送信されることができる。各ユニキャストサブフレームは、別個のユニキャストスクランブリング符号、及び、ブロードキャストデータの送信について用いられる共通のセルＩＤではない第２の（例えば、セル固有の）ＩＤを用いる。特に、セル固有のＩＤを用いるユニキャスト制御チャネルは、共通のセルＩＤを用いるブロードキャストデータに付随する。
【００６３】
一例において、図５に図示されるように、ブロードキャストデータは、ユニキャスト通信について採用されるキャリア周波数など、物理リソースの無線フレームの少なくとも１つのサブフレームにおける少なくとも１つの時間的に不連続なブロードキャスト送信において送信される。ユニキャスト制御情報の送信は、物理リソースの無線フレームの複数の時間的に連続するサブフレームを利用する。少なくとも１つの時間的に不連続なブロードキャスト送信について用いられる少なくとも１つのサブフレームは、ユニキャスト制御情報を送信するために無線フレームの複数のサブフレームにおいて用いられる第２の期間よりも短い第１の期間を含む。
【００６４】
高速ダウンリンクパケットアクセス（ＨＳＤＰＡ）又は高速アップリンクパケットアクセス（ＨＳＵＰＡ）といったユニキャスト通信においては、データを搬送するトラフィックチャネルとそれらに関連付けられる制御チャネルとの間に関連性が存在する。本発明の例示的な実施形態は、サブフレーム内のユニキャストデータ送信をブロードキャストデータ送信に置換する場合にユニキャスト制御チャネルを保持することにおいて利益を提供し得る。さらなる利益は、ユニキャストトラフィックチャネル上の最適な／最大のスループットを維持することから結果として生じ得る。同じサブフレーム内におけるブロードキャストデータ及びユニキャスト制御情報の双方の共存により、ブロードキャスト要件及びユニキャスト要件の双方を同時に満たすことが可能となり得る。本発明の１つの例示的な実施形態において、ブロードキャストデータは共通のセルＩＤを用い、ユニキャスト制御チャネルはセル固有のＩＤを用い得る。別の例示的な実施形態において、ブロードキャスト送信と時間的に一致するユニキャスト制御チャネルの一部は、シーケンス特性又は電力損失のいずれかにおける変化を通じて、変更され得る。
【００６５】
ユニキャスト制御チャネルを維持しながら、そのような時間ドメインで多重化された成分を種々のデータオンリーチャネルのための無線フレーミング構造に含めることによって、このアプローチは、下記の目的のいずれか又は双方を果たし得る：
（ｉ）効率的なＤＲＸ（受信機がオンになっている時間が減少する）及び、それ故の、より低い電力消費、それによるバッテリ寿命の延長。
（ｉｉ）送信時間間隔（ＴＴＩ）ＤＲＸのフレーム内（intra-frame）ＤＲＸへの置換に起因する、低減されたＵＥの複雑さ／コスト。
【００６６】
ＴＴＩ  ＤＲＸでは、ＴＴＩ全体が受信され、「Ｎ個の」後続のＴＴＩが受信されない。送信機は同様に動作する。これは、ＴＴＩ（即ち、アクティブなもの）内に含まれるデータの量がサービスについての所望の平均ビットレートを達成するために要求されるＴＴＩごとの量よりも（Ｎ＋１）倍大きい必要があることを意味する。
【００６７】
（例えば、スロット又はサブフレームベースの）サブＴＴＩレベルで動作するＤＲＸスキームは、同じ１：Ｎ（オン：オフ）の比率を実装することができる。ただし、あらゆるＴＴＩがアクティブであるため、ＴＴＩごとに送られるデータの量は、サービスについての所望の平均ビットレートを達成するために要求されるＴＴＩごとの量の１倍に等しいままである。従って、受信機がＴＴＩごとに扱う必要があるデータボリュームが低減されるので、受信機処理の複雑さは低減され得る。
【００６８】
一例において、異なるスクランブリングシーケンスがＳ−ＣＣＰＣＨの２ミリ秒のサブフレームごとに用いられて、複数の時間多重されたＳＦＮゾーンについてのサポートを可能にし得る。一例において、ＱＰＳＫ及び１６ＱＡＭといった、当技術分野で一般的に既知のものを含む、異なるデータ変調技法が適用され得る。Ｐ−ＣＣＰＣＨ、Ｓ−ＣＣＰＣＨ及びＭＩＣＨについての変調スキームは、現行の仕様から変更されなくてもよい。
【００６９】
本発明の１つの例示的な実施形態において、現行の標準において存在する他の補完的な技法、例えば、３ＧＰＰＴＭのＦＤＤ仕様書又はＴＤＤ仕様書からのチャネルコーディング、拡散及び他の手続の既存の技法が、提案される技法と共に容易に用いられ得ることが予測される。
【００７０】
上述された技法の１つの利益は、より高位の層に対する本発明の物理層の特徴の影響を最小限にすることである。ＭＢＳＦＮモビリティ並びにユーザプレーンアーキテクチャ及び制御プレーンアーキテクチャは、既存のＦＤＤ又はＴＤＤのＭＢＳＦＮシステムにおけるそれらと対応し得る。物理層と特定の関連性を有する幾つかのパラメータに適応するために、上記利点のうちの１つ以上を達成し、無線リソース制御（ＲＲＣ：radio  resource  control）層及びノードＢアプリケーションプロトコル（ＮＢＡＰ）コンフィグレーションに関与する変更が予測され得る。従って、有利には、上述された実施形態の目標を達成するために、コアネットワーク及び関連付けられるサービス／アプリケーションに対する変更は要求されない。
【００７１】
物理層において、上述された概念は、現行のＨＳＤＰＡタイプ３受信機を関連付けられる変更と共に利用して、効率的なブロードキャストをサポートすることが意図される。
【００７２】
ここで図６を参照すると、ブロードキャスト通信をサポートするためのフローチャート６００の一例が図示されている。フローチャート６００は、例えば図２に実質的に示されるようなユニキャストフレームフォーマット／構造を用いて動作する複数の通信セルを含む無線通信システムから始まる。このコンテキストにおいて、無線通信システムがブロードキャスト通信及びユニキャスト通信の双方をサポートする場合、ブロードキャストコンテンツは、ステップ６０５に示されるように、１つ以上のユニキャストチャネル上で送信される。図３のＲＮＣ３３６のＲＲＭロジック３４１などのネットワークエレメントは、ステップ６１０にあるように、１つ以上の通信セルにポーリングして、ブロードキャスト通信を受信することへの興味のレベルを判定する。ステップ６１５に示されるように、例えばブロードキャストコンテンツを受信することに興味があるＵＥの判定された数を閾値の数と比較することによって、ユニキャストフレームフォーマット／構造を適合するために充分な興味が存在するかに関して判定が為される。ステップ６１５において、不充分な数のＵＥしかブロードキャストコンテンツを受信することに興味がない場合、例えば当該数が閾値の数よりも小さい場合、フローチャートはステップ６０５に戻る。ステップ６１５において、充分な数のＵＥがブロードキャストコンテンツを受信することに興味がある場合、例えば当該数が閾値の数よりも大きいか又は等しい場合、フローチャートはステップ６２０に進み、例えば図５の構造に従って、１つ以上のユニキャストデータサブフレームがブロードキャストデータに置換される。
【００７３】
一例において、ステップ６２５に示されるように、ノードＢは、例えばブロードキャストデータコンテンツと時間的に一致するサブフレーム内のユニキャスト制御チャネル情報の直交シーケンスを選択することによって、随意的に干渉抑制手続を開始し得る。一例において、ステップ６３０に示されるように、ＵＥは、例えば受信されるデータコンテンツに適用するための干渉除去アルゴリズムを選択することによって、随意的に干渉抑制手続を開始し得る。
【００７４】
その後、ステップ６３５にあるように、図３のＲＮＣ３３６のＲＲＭロジック３４１などのネットワークエレメントは、１つ以上の通信セルにおけるＵＥに再びポーリングして、ブロードキャスト通信を受信することへの興味のレベルを判定する。ステップ６４０に示されるように、例えばブロードキャストコンテンツを受信することに興味があるＵＥの判定された数を閾値の数と比較することによって、図５のユニキャスト／ブロードキャストフレームフォーマット／構造を維持するために充分な興味が依然として存在するかに関して判定が為される。ステップ６４０において、充分な数のＵＥがブロードキャストコンテンツを受信することに興味がある場合、例えば当該数が閾値の数よりも大きいか又は等しいままである場合、フローチャートは遅延を取り入れて（６４５）ステップ６３５に戻り続けて、フレーム構造内のブロードキャストコンテンツの使用が見合う（merited）ことを確保する。ステップ６４０において、不充分な数のＵＥしかブロードキャストコンテンツを受信することに興味がない場合、例えば当該数が閾値の数よりも小さい場合、フローチャートはステップ６５０に進み、ブロードキャストデータサブフレームのうちの１つ以上がユニキャストデータに置換され、フローチャートはステップ６０５に戻る。
【００７５】
ブロードキャストコンテンツへのＵＥの興味のレベルを判定し、判定された数を閾値の数と比較する上述された例は、主にユニキャストフレーム構造内のブロードキャストコンテンツのアクティブ化（activation）又は非アクティブ化（de-activation）を開始するために説明されたが、他のメカニズムが用いられることが可能であることが予測される。例えば、主要なスポーツイベントの開始は、ポーリング動作を必要とすることなく、サポートされるＵＥから充分なブロードキャストへの興味を有すると推定され得る。この例において、ブロードキャスト／ユニキャストフレーム構造は、ＲＮＣ又はノードＢによって一方的に適合され得る。
【００７６】
ここで図７を参照すると、本発明の実施形態における信号処理機能を実装するために採用され得る典型的なコンピューティングシステム７００が図示されている。このタイプのコンピューティングシステムは、アクセスポイント及び無線通信ユニットにおいて用いられ得る。当業者は、他のコンピュータシステム又はアーキテクチャを用いて、どのように本発明を実装すべきかも認識するであろう。コンピューティングシステム７００は、例えば、デスクトップ、ラップトップ若しくはノードブックコンピュータ、ハンドヘルドコンピューティングデバイス（ＰＤＡ、携帯電話、パームトップ等）、メインフレーム、サーバ、クライアント、又は、所与のアプリケーション若しくは環境について望ましい若しくは適当であり得る任意の他のタイプの特殊用途の若しくは汎用のコンピューティングデバイスを表し得る。コンピューティングシステム７００は、プロセッサ７０４など、１つ以上のプロセッサを備えることができる。プロセッサ７０４は、例えば、マイクロプロセッサ、マイクロコントローラ、又は他の制御ロジックといった、汎用の又は特殊用途の処理エンジンを用いて実装されることができる。この例において、プロセッサ７０４は、バス７０２又は他の通信媒体に接続される。
【００７７】
コンピューティングシステム７００は、プロセッサ７０４によって実行されるべき命令及び情報を記憶するための、ランダムアクセスメモリ（ＲＡＭ）又は他のダイナミックメモリといったメインメモリ７０８も備えることができる。メインメモリ７０８は、プロセッサ７０４によって実行されるべき命令の実行の期間中に、一時的な変数又は他の中間情報を記憶するためにも用いられ得る。コンピューティングシステム７００は、同様に、プロセッサ７０４のための静的な情報及び命令を記憶するための、バス７０２に結合される読み出し専用メモリ（ＲＯＭ）又は他の静的なストレージデバイスを備え得る。
【００７８】
コンピューティングシステム７００は、情報ストレージシステム７１０も備え得る。情報ストレージシステム７１０は、例えば、メディアドライブ７１２及びリムーバブルストレージインタフェース７２０を備え得る。メディアドライブ７１２は、ハードディスクドライブ、フロッピーディスクドライブ、磁気テープドライブ、光ディスクドライブ、コンパクトディスク（ＣＤ）若しくはデジタルビデオドライブ（ＤＶＤ）読み出し又は書き込みドライブ（Ｒ若しくはＲＷ）、又は、他のリムーバブルメディアドライブ若しくは固定されたメディアドライブといった、固定された記憶媒体又はリムーバブル記憶媒体をサポートするためのドライブ又は他のメカニズムを含み得る。記憶媒体７１８は、例えば、ハードディスク、フロッピーディスク、磁気テープ、光ディスク、即ちＣＤ若しくはＤＶＤ、又は、メディアドライブ７１２によって読み出され及び書き込まれる他の固定されたメディア若しくはリムーバブルメディアを含み得る。これらの例が説明するように、記憶媒体７１８は、特定のコンピュータソフトウェア又はデータが記憶されたコンピュータ読取可能な記憶媒体を含み得る。
【００７９】
別の実施形態において、情報ストレージシステム７１０は、コンピュータプログラム又は他の命令若しくはデータがコンピューティングシステム７００にロードされることを可能にするための他の同様のコンポーネントを備えてもよい。そのようなコンポーネントは、例えば、プログラムカートリッジ及びカートリッジインタフェース、リムーバブルメモリ（例えば、フラッシュメモリ又は他のリムーバブルメモリモジュール）及びメモリスロット、並びに、他のリムーバブルストレージユニット７２２、及びソフトウェア及びデータがリムーバブルストレージユニット７１８からコンピューティングシステム７００に転送されることを可能にするインタフェース７２０といった、リムーバブルストレージユニット７２２及びインタフェース７２０を含み得る。
【００８０】
コンピューティングシステム７００は、通信インタフェース７２４も備えることができる。通信インタフェース７２４は、ソフトウェア及びデータがコンピューティングシステム７００と外部のデバイスとの間で転送されることを可能にするために用いられることができる。通信インタフェース７２４の例は、モデム、（イーサネット又は他のＮＩＣカードといった）ネットワークインタフェース、（例えば、ユニバーサルシリアルバス（ＵＳＢ）ポートなどの）通信ポート、ＰＣＭＣＩＡスロット及びカード等を含むことができる。通信インタフェース７２４を介して転送されるソフトウェア及びデータは、信号の形態であり、電気信号、電磁信号、光信号、又は、通信インタフェース７２４によって受信されることが可能な他の信号であり得る。これらの信号は、チャネル７２８を介して通信インタフェース７２４に提供される。このチャネル７２８は、信号を搬送し、無線媒体、ワイヤ若しくはケーブル、光ファイバ、又は他の通信媒体を用いて実装され得る。チャネルの幾つかの例は、電話回線、携帯電話リンク、ＲＦリンク、ネットワークインタフェース、ローカルエリアネットワーク若しくは広域ネットワーク、及び他の通信チャネルを含む。
【００８１】
本明細書において、「コンピュータプログラムプロダクト」、「コンピュータ読取可能な媒体」などの用語は、例えば、メモリ７０８、ストレージデバイス７１８、又はストレージユニット７２２といった媒体に言及するために概して用いられ得る。これらの及び他の形態のコンピュータ読取可能な媒体は、プロセッサ７０４によって用いられ、当該プロセッサに特定の動作を実行させるための１つ以上の命令を記憶し得る。一般に「コンピュータプログラムコード」（コンピュータプログラム又は他のグルーピングの形態においてグループ化され得る）と呼ばれるそのような命令は、実行された場合に、コンピューティングシステム７００が本発明の実施形態の機能を実行することを可能にする。なお、上記コードは、プロセッサに直接特定の動作を実行させても、コンパイルされて特定の動作を実行させても、並びに／又は、他のソフトウェア要素、ハードウェア要素及び／若しくはファームウェア要素（例えば、標準的な機能を実行するためのライブラリ）と組み合わされて特定の動作を実行させてもよい。
【００８２】
ソフトウェアを用いて要素が実装される実施形態においては、当該ソフトウェアは、コンピュータ読取可能な媒体に記憶され、例えばリムーバブルストレージドライブ７２２、ドライブ７１２又は通信インタフェース７２４を用いてコンピューティングシステム７００にロードされる。制御ロジック（この例においては、ソフトウェア命令又はコンピュータプログラムコード）は、プロセッサ７０４によって実行される場合に、当該プロセッサ７０４に本明細書において説明されるような本発明の機能を実行させる。
【００８３】
一例において、有形の（tangible）非一時的な（non-transitory）コンピュータプログラムプロダクトは、無線通信システムにおいてブロードキャスト送信をサポートするための実行可能なプログラムコードを有する。実行可能なプログラムコードは、無線ネットワークコントローラ（ＲＮＣ）と、無線リソースマネージャ（ＲＲＭ：radio  resource  manager）と、基地局と、無線加入者通信ユニットと、から成るグループからの少なくとも１つにおいて実行される場合に、物理リソースの少なくとも１つのサブフレームにおいて少なくとも１つのブロードキャスト送信をサポートし（当該少なくとも１つのブロードキャスト送信は、第１の（例えば、共通の）セル識別子を用いるブロードキャストデータを含む）、及び、当該物理リソースの当該少なくとも１つのサブフレームにおいて第２のセル識別子を用いるユニキャスト制御情報の送信をサポートする（当該第１のセル識別子は、当該第２のセル識別子とは異なる）ために動作可能であり得る。
【００８４】
一例において、有形の非一時的なコンピュータプログラムプロダクトは、無線通信システムにおいてブロードキャスト送信をサポートするための実行可能なプログラムコードを含む。実行可能なプログラムコードは、無線ネットワークコントローラ（ＲＮＣ）と、無線リソースマネージャ（ＲＲＭ）と、基地局と、無線加入者通信ユニットと、から成るグループからの少なくとも１つにおいて実行される場合に、物理リソースの無線フレームの少なくとも１つのサブフレームにおいて少なくとも１つの時間的に不連続なブロードキャスト送信をサポートし、及び、当該物理リソースの当該無線フレームの複数の時間的に連続するサブフレームにおいてユニキャスト制御情報の送信をサポートするために動作可能であり得る。少なくとも１つの時間的に不連続なブロードキャスト送信について用いられる少なくとも１つのサブフレームは、ユニキャスト制御情報を送信するための無線フレームの複数のサブフレームにおいて用いられる第２の期間よりも短い第１の期間を含む。
【００８５】
上記の説明は、明確にするために、本発明の実施形態を様々な機能ユニット及びプロセッサに関して説明したことが認識されるであろう。ただし、例えばブロードキャストモードロジック又は管理ロジックに関して、本発明を損なうことなく、様々な機能ユニット又はプロセッサ間で機能の任意の適当な分散が用いられ得ることは明らかであろう。例えば、別個のプロセッサ又はコントローラによって実行されるように図示される機能は、同じプロセッサ又はコントローラによって実行されてもよい。それ故に、特定の機能ユニットへの言及は、厳格な論理的な構造若しくは物理的な構造又は機構（organization）を示すものではなく、説明される機能を提供するための適当な手段への言及としてのみ見なされるべきである。
【００８６】
本発明の観点は、ハードウェア、ソフトウェア、ファームウェア又はこれらの任意の組み合わせを含む任意の適当な形態において実装され得る。本発明は、少なくとも部分的に、１つ以上のデータプロセッサ及び／又はデジタル信号プロセッサ上で実行されるコンピュータソフトウェアとして随意的に実装され得る。従って、本発明の実施形態の要素及びコンポーネントは、任意の適当な手法で物理的に、機能的に及び論理的に実装され得る。実際、機能は、単一のユニットにおいて、複数のユニットにおいて、又は他の機能ユニットの一部として、実装され得る。
【００８７】
当業者は、本明細書において説明される機能ブロック及び／又はロジック要素が通信ユニットのうちの１つ以上への組み込みのために集積回路において実装され得ることを認識するであろう。さらに、論理ブロック間の境界は説明のためにすぎず、別の実施形態は論理ブロック又は回路要素を統合し又は種々の論理ブロック又は回路要素に代替の機能の構成を課し得ることが意図される。本明細書において示されるアーキテクチャは例示にすぎないこと、及び、実際には同じ機能を達成する多くの他のアーキテクチャが実装されることができることがさらに意図される。例えば、明確にするために、信号処理モジュール４８０は単一の信号処理モジュールとして図示され及び説明されたが、他の実装においては、当該信号処理モジュール４８０は別個の処理モジュール又は論理ブロックを含んでもよい。
【００８８】
本発明は幾つかの例示的な実施形態に関連して説明されたが、本明細書に記載された特定の形態に限定されることは意図されない。むしろ、本発明の範囲は、添付の特許請求の範囲によってのみ限定される。また、特徴（feature）は特定の実施形態に関連して説明されるように見えるかもしれないが、説明された実施形態の種々の特徴が本発明に従って組み合わせられ得ることを当業者は認識するであろう。特許請求の範囲において、「備える／含む」という用語は、他の要素又はステップの存在を排除しない。
【００８９】
さらに、個別に列挙されてはいるが、複数の手段、要素又は方法ステップは、例えば単一のユニット又はプロセッサによって実装されてもよい。また、個別の特徴は異なる請求項に包含され得るが、これらは場合によって有利に組み合わされてもよく、異なる請求項への包含は、特徴の組み合わせが実現可能ではない及び／又は有利ではないことを意味しない。また、請求項のうちの１つのカテゴリへの特徴の包含は、当該カテゴリへの限定を意味せず、当該特徴は必要に応じて他の請求項のカテゴリに等しく適用可能であることを示す。
【００９０】
さらに、特許請求の範囲における特徴の順序は、当該特徴が実行されなければならないいかなる特定の順序を示すものではなく、特に、方法の請求項における個別のステップの順序は、当該ステップがその順序で実行されなければならないことを意味しない。むしろ、ステップは、任意の適当な順序で実行され得る。また、単数形への言及は、複数形を排除しない。従って、「１つの（"a"，"an"）」、「第１の」、「第２の」等への言及は、複数形を除外しない。
【図１】
2013537752.tif 000005
【図２】
2013537752.tif 000006
【図３】
2013537752.tif 000007
【図４】
2013537752.tif 000008
【図５】
2013537752.tif 000009
【図６】
2013537752.tif 000010
【図７】
2013537752.tif 000011
【国際調査報告】
2013537752.tif 000012
2013537752.tif 000013
2013537752.tif 000014
2013537752.tif 000015
2013537752.tif 000016
2013537752.tif 000017